(57)【特許請求の範囲】
【請求項１】
ボディと、
当該ボディに取付けられランプと電気的に接続される一対のコンタクトが収納され当該コンタクトの後端にコイルばねが装着される作動体と、
前記ボディ又は前記作動体にランプ装脱方向に摺動自在に取り付けられ後端にインタロックばねが装着されたインタロック釦と、
前記ボディに取付けられランプ装脱方向に摺動するインタロック釦により開閉される接点部を有する一対のインタロック端子と、
前記ボディの後方に取付けられるカバーとを備え、
前記作動体の底面側に平坦部を設け、
前記インタロック端子は、前記ランプ装脱方向に対してほぼ直角方向に可動する長手可動部を有し、この長手可動部の先端部に前記平坦部に接して前記インタロック端子を前記ボディに組込む際のガイドとなる部位を設け、
前記インタロック釦がランプ装脱方向に可動すると当該インタロック釦のインタロック端子制御部により前記インタロック端子の接点部がオン・オフすることを特徴とするインタロック付きランプソケット。
【発明の詳細な説明】
【０００１】
【発明の属する技術分野】
本発明は、照明器具の高出力用蛍光ランプソケット等に使用されるインタロック付きランプソケットに関する。
【０００２】
【従来の技術】
従来、インタロック付きランプソケットは、板ばね方式で、可動方向はランプ挿入方向（インタロック釦可動方向）である。
【０００３】
板ばねの長手可動部の面は、ランプ挿入方向を正面に向く。可動範囲はインタロックのストロークによるが、「オン」するとインタロック釦から離れ、残りの板ばね力で他方の接点に接触する。
【０００４】
【発明が解決しようとする課題】
上記のように従来のインタロック付きランプソケットは、インタロック釦の可動方向および変位が同じであるため、可動端子の変形も大きく、充分な弾性を持つ板ばねにしないとへたってしまう。
【０００５】
このため、板ばねのたわみ方向で、オンストロークを設定しているため、板ばねがへたると、そのまま、オンストロークのばらつきとなるという問題があった。
【０００６】
本発明は上記の点に鑑みてなされたもので、オンストロークのばらつきがないインタロック付きランプソケットを提供することを課題とする。
【０００７】
【課題を解決するための手段】
前記課題を達成するために、請求項１記載に係る本発明のインタロック付きランプソケットは、ボディと、当該ボディに取付けられランプと電気的に接続される一対のコンタクトが収納され当該コンタクトの後端にコイルばねが装着される作動体と、前記ボディ又は前記作動体にランプ装脱方向に摺動自在に取り付けられ後端にインタロックばねが装着されたインタロック釦と、前記ボディに取付けられランプ装脱方向に摺動するインタロック釦により開閉される接点部を有する一対のインタロック端子と、前記ボディの後方に取付けられるカバーとを備え、前記作動体の底面側に平坦部を設け、前記インタロック端子は、前記ランプ装脱方向に対してほぼ直角方向に可動する長手可動部を有し、この長手可動部の先端部に前記平坦部に接して前記インタロック端子を前記ボディに組込む際のガイドとなる部位を設け、前記インタロック釦がランプ装脱方向に可動すると当該インタロック釦のインタロック端子制御部により前記インタロック端子の接点部がオン・オフすることを特徴とするものである。
【００１３】
上記の構成において、インタロック端子の可動方向をランプ挿入方向にもソケット取付面にも直角方向になるようにしたことにより、インタロック釦が一定のストロークを超えると、インタロック端子の接点部が閉じる方向にインタロック端子が変形し、確実に「オン」することができる。
【００１４】
このため、オンストロークが正確になるので、ランプの接触板が、インタロック付きランプソケットのコンタクトに接触したのち、インタロック端子の接点部が「オン」になるように設計することも容易になる。
【００１５】
【発明の実施の形態】
以下、図１〜図１０を参照して本発明の第１参考例に係るインタロック付きランプソケットを説明する。
【００１６】
図１はカバーを外した状態で、インタロック釦が押されていない初期の状態を示すものである。
【００１７】
インタロック付きランプソケットは、ボディ１と、このボディ１に摺動可能に取付けられる一対のコンタクト７５が装着される作動体１５と、このボディ１に摺動自在に装着されるインタロック釦３０と、このボディ１に係止される一対のインタロック端子４５と、このボディ１の裏側に取付けられるカバー６０とから構成されている。
【００１８】
図２はボディに摺動可能に取付けられる作動体を示すもので、この作動体１５は、長手方向に円柱状をした作動体主部１６と、この作動体主部１６の両側端に長手方向に沿って板状をした一対の位置決めスライド体１７，１７が一体的にそれぞれ形成している。
【００１９】
さらに、作動体主部１６の両側には、円形状をしたコイルばね収納部１８，１８がそれぞれ形成されるとともに、このコイルばね収納部１８の先端にはコンタクト７５が装着されるスリット状のコンタクト装着部１９，１９がそれぞれ形成している。
【００２０】
また、作動体主部１６の下方長手方向に沿って、インタロック釦３０が長手方向に沿って前後に摺動するインタロック釦収納凹部２０が形成され、両側はインタロック釦ガイド壁２０ａ，２０ａになっている。
【００２２】
図３は作動体と、この作動体に形成された一対のコンタクト装着部に装着されるコンタクトと、このコンタクトの後端に取付けられるコイルばねとを示していてる。
【００２３】
コンタクト７５は導電板材を打ち抜き略長方形に形成したもので、当該コンタクト７５の先端には、ランプの接触板（図示せず）と接触するランプ接触部７６を有するとともに、このランプ接触部７６の下方にはストッパー部７７が形成されている。さらに、コンタクトの後端は、コイルばねが装着される略台形をばね装着部７８が形成されている。
【００２４】
コンタクト７５は、作動体１５のコイルばね収納部１８から挿入され、先端側に形成しているスリット状のコンタクト装着部１９に装着されランプ接触部７６が外部に露出するとともに、コンタクトのストッパー部７７はコイルばね収納部の先端壁の裏面側に突当たり所定位置に取付けられる。
【００２５】
さらに、コイルばね８０をコイルばね収納部１８に挿入し、当該コイルばね８０をコンタクトのばね装着部７８に装着する。
【００２６】
コイルばね８０は、図４に示すように、押圧方向に圧縮するコイルばね主部８１と、このコイルばね主部８１の一方端から水平に延出する引掛け部８２とから構成している。
【００２７】
図５および図７は作動体が装着されるボディを示すとともに、図６および図８にはボディの後方に着脱可能に装着されるカバーを示すものである。
【００２８】
図５および図７に示すボディ１は、後方開口した円頭部２と、この円頭部２の下方から水平に形成された取付部１３とを備えるとともに、円頭部２中心には、作動体の作動体主部１６が挿入される円形状の作動体挿入孔３が穿設されている。
【００２９】
さらに、作動体挿入孔３の裏面の両側には、後方に向けて立設された断面が略コ字形をなし作動体の位置決めスライド体１７，１７がスライド係合する作動体ガイド部４，４が対向しそれぞれ形成されている。
【００３０】
また、円頭部２の下方両側には、カバー爪用引掛け凹部５，５がそれぞれ形成されるとともに、円頭部２の上側には、カバー頭爪用引掛孔６が穿設されている。さらに、カバー爪引掛部け凹５，５間には、ＳＬ端子収納部７が４か所設けられているとともに、これらＳＬ端子収納部７の下面壁部８には、当該ＳＬ端子収納部７に対向した位置に電線が挿入されるＳＬ端子用ホッパー孔９がそれぞれ穿設されている。なお、両側に配置されているＳＬ端子用ホッパー孔９，９は、ランプにそれぞれ接続されているとともに、真ん中のＳＬ端子用ホッパー孔９，９は、トランスにそれぞれ接続されている。
【００３１】
図６および図８に示すカバー６０は、ボディ１の外周に重合し取付けられる前方開口した有底状の円頭部６１と、この円頭部６１の底面部６２には、ボディ１の作動体挿入孔３に装着される作動体１５のコイルばね収納部１８，１８と対向した位置にコイルばね受け凸部６３，６３がそれぞれ突出形成されるとともに、これらコイルばね受け凸部６３，６３の下方中央には、インタロック用のコイルばねが挿入するコイルばね装着凹部６４が形成されている。
【００３２】
さらに、カバーの円頭部６１内面上部には、ボディ１の上面部に形成されているカバー頭用引掛け孔６に引掛け嵌合される嵌合凸部６５が形成されている。また、カバーの円頭部６１の下方両側には、ボディ１の下方両側に形成されているカバー爪用引掛け凹部５，５に引掛けられる嵌合爪６６，６６がそれぞれ外方に向けて突出形成している。さらに、カバーの円頭部６１下方には、ボディ１の下方に形成しているＳＬ端子収納部７の中央部に位置するようにＳＬ端子押え部６７が４個それぞれ形成している。
【００３３】
図９はインタロック釦を示すもので、このインタロック釦３０は合成樹脂などを材料として作られている。
【００３４】
このインタロック釦３０は、図２に示す作動体１５の下方長手方向に沿って形成され当該インタロック釦が摺動自在に装着されるインタロック釦ガイド壁２０ａ，２０ａ間に装着される板状の可動ガイド部３１と、作動体の下方長手方向に沿って形成されているインタロック釦収納凹部２０に入る可動ガイド部の上面長手方向に沿うとともに当該可動ガイド部の先端から延出形成される略円柱状の口金押え部３２と、この口金押え部３２と反対側の端部で、且つ、可動ガイド部の下面から後方に向けて円柱状に形成されたインタロックばね受け部３３と、このインタロックばね受け部３３から前方に向けて板状のインタロック端子制御部３４が可動ガイド部の下面から下方に向けて突出形成されるとともに、このインタロック端子制御部３４の先端は三角形状に尖った作用部３５を備えている。
【００３５】
なお、インタロック釦３０の口金押え部３２は、作用体１５のインタロック釦ガイド壁２０ａ，２０ａ間に装着した状態では、作用体の前端壁に穿設された口金押え貫通孔２２から外方に突出状態で装着される。
【００３６】
図１０はインタロック端子を示すもので、このインタロック端子４５は、板状でばね性を有するとともに導電性を有する材料から折曲げ形成されるもので、インタロック端子部４６と、このインタロック端子部４６の根元部に形成されたＳＬ端子５５とからなり、当該インタロック端子部４６は、基端部４７と長手可動部４８とから構成され、この長手可動部４８は、基端部４７から長手方向に沿って下り傾斜する傾斜片部４９とこの傾斜片部４９の先端から長手方向に向け基端部４７に平行に折曲げられ真中に接点部５１を有する先端部５０とから構成している。
【００３７】
ＳＬ端子５５は、インタロック端子部の基端部４７から直角に折曲げ形成された電線受面部５６の下方から先方に向けて水平に形成され、電線受面部の下方端に電線が挿入される電線挿入孔５７と略Ｕ字形に折曲げ形成され電線を圧着固定するＳＬ端子部５８とから構成している。
【００３８】
図１はカバーを外した状態で、インタロック釦が押されていない初期の状態を示すもので、図１〜図１０を参照してインタロック付きランプソケットの組立て方法を説明する。
【００３９】
第１ステップとして、図３に示すように、コンタクト７５のランプ接触部７６を先端にして作動体のコイルばね収納部１８に挿入し、当該コンタクトのランプ接触部１８をコンタクト装着部１９に挿入し装着する。それからコイルばね８０をコンタクトの後端側に形成されているばね装着部７８に装着する。
【００４０】
第２ステップとして、図５に示すボディ１の作動体挿入孔３にコンタクト７５とコイルばね８０が装着された作動体１５を裏面側から挿入するとともに、作動体の両側に形成されている位置決めスライド体１７，１７をボディの裏面側に対向し立設されている作動体ガイド部４，４内に沿って挿入する。
【００４１】
第３ステップとして、図２に示す作動体１５の下方に形成されているインタロック釦ガイド壁２０ａ，２０ａ間に、図９に示すインタロック釦３０の口金押え部３２を前方にして挿入すると、インタロック釦の口金押え部３２は、作動体の前方壁に形成されている口金押え貫通孔２２に挿入され口金押え部３２は外方に突出した状態になる。それから、インタロック釦のインタロックばね受け部３３にコイルばね９０を装着する。
【００４２】
第４ステップとして、ボディ１の下方両側に形成されているＳＬ端子収納部７，７にＳＬ端子（詳細図図示せず）をそれぞれ挿入する。さらに、真中左右に形成されているＳＬ端子収納部７，７に図１０に示すインタロック端子４５のＳＬ端子５５をそれぞれ収納すると、このインタロック端子４５の先端に形成されている接点部５１は、インタロック釦のインタロック端子制御部３４の側壁３４ａを押圧した状態で取付けられる。
【００４３】
それから、コイルばね８０の後端に形成されている引掛け部８２をボディ１の引掛け溝１０に挿入し係止する。
【００４４】
最後に、カバー６０をボディ１の後方開口部に装着すると、カバーの両側に形成されている嵌合爪６６，６６は、ボディ１の下方両側に形成されているカバー爪用引掛け凹部５，５に挿入され係止される。同時に、カバーの嵌合凸部６５はボディのカバー頭用引掛け孔６に引掛け係止される。
【００４５】
本発明の第２参考例に係るインタロック付きランプソケットを図１１〜図１３を参照して説明する。
【００４６】
第２参考例に係るインタロック付きランプソケットは、インタロック端子の接点部が接触又は離間する際に発生するアークの悪影響をなくするもので、第１参考例に係るインタロック端子４５を図１１１１に示す第２のインタロック端子４３とするとともに、図９に示すインタロック釦３０のインタロック端子制御部３４の長さを短くした図１３に示すインタロック釦２８とする以外は、第１参考例に係るインタロック付きランプソケットと同様な構成からなっている。
【００４７】
第２のインタロック端子２８は、図１１に示すように、板状でばね性を有するとともに導電性を有する材料から折曲げ形成されるもので、インタロック端子部５２と、このインタロック端子部５２の根元部に形成されたＳＬ端子５５とからなり、当該インタロック端子部５２は、基端部４７と略逆Ｌ字形をした長手可動部５３とから構成している。
【００４８】
この長手可動部５３は、基端部４７から長手方向に沿って下り傾斜する傾斜片部４９と、この傾斜片部４９の先端から長手方向に向け基端部４７に平行に折曲げられる略逆Ｌ字状先端部５４とから構成され、この略逆Ｌ字状先端部５４は、傾斜片部４９の長手方向に形成され接点部５１を有する先端部５０と、この先端部５０には作動体と反対側に延出する接点離間部５９を有するとともにこの接点離間部５９の先端から外方に向け拡開するガイド片部５９ａが形成されている。
【００４９】
第２参考例に係るインタロック付きランプソケットに使用されるインタロック釦２８は、図１３に示すように、当該インタロック釦のインタロック端子制御部３６の長さを第１参考例に係るインタロック端子制御部３４より短くしたもので、インタロック端子制御部３６の先端は三角形状に尖った作用部３５を備えている。
【００５０】
図１１はインタロック釦のインタロック端子制御部３６と第２のインタロック端子４３との位置関係を示すもので、インタロック釦２８をランプ挿入方向（矢印方向）に摺動させ、第２のインタロック端子４３の接点部５１を互いに接触させ「オン」した状態を示している。
【００５１】
図１１に示すように、インタロック端子制御部の作用部３５の先端からインタロック端子の接点部５１まで接点離間部５９の長さだけ離れていることから、インタロック端子の接点部５１が、お互いに接触又は離間する際に発生するスパークをインタロック端子制御部３６が浴びなくて済む。なお、インタロック付きランプソケットの組立ては、第１参考例に係るインタロック付きランプソケットと同じである。
【００５２】
図１２はインタロック端子４３とインタロック釦の可動中心線と、各インタロック端子の中心で結ばれる面上と、各インタロック端子の中心線との関係を図示したものである。
【００５３】
本発明の一実施の形態に係るインタロック付きランプソケットを図１４〜図１６を参照して説明する。
【００５４】
本発明の一実施の形態に係るインタロック付きランプソケットは、インタロック端子の先端をその幅方向にＲ状に曲げ形成したＲ部を有する以外は、第１参考例又は第２参考例に係る構成と同じである。
【００５５】
図１５は図１０に示すインタロック端子４５の先端で作動体側の幅方向に外側に向けてＲ状に折曲げてＲ部３８を形成するとともに、このＲ部３８の反対側に外側に向けて拡開するガイド片部３９を形成したものである。
【００５６】
図１６は図１１に示す第２のインタロック端子４３の先端で作動体側の幅方向に外側に向けてＲ状に折曲げてＲ部３８を形成するとともに、このＲ部３８の反対側に外側に向けて拡開するガイド片部３９を形成したものである。
【００５７】
図１４に、Ｒ部を有するインタロック端子４５又は第２のインタロック端子４３を組込みインタロック釦をランプ挿入方向に押圧し接点部を接触させた状態を示すインタロック付きランプソケットである。
【００５８】
インタロック端子４５又は第２のインタロック端子４３のＲ部３８の先端は、作動体１５の底面側に形成されているインタロック端子摺動部としての平坦部２１上を摺動することで、インタロック端子又は第２のインタロック端子の長手可動部４８，５３が滑らかに動作する。また、このＲ部３８は、ボディ１へのインタロック端子４３，４５組込み時のガイドにもなり組立性が向上する。
【００５９】
本発明の第３参考例に係るインタロック付きランプソケットは、インタロック端子を、一方を固定端子とし他方を可動端子で構成したもので図１５を参照して説明する。
【００６０】
図１５はカバーを外した状態で、インタロック釦が押されていない初期の状態を示すものである。
【００６１】
インタロック端子４３，４５は、一方を固定端子とし他方を可動端子としたもので、固定端子用インタロック端子４３ａ，４５ａと可動端子用インタロック端子４３ｂ，４５ｂとで対をなしている。
【００６２】
このように、一方を固定端子とし他方を可動端子としたことにより、インタロック釦による制御が片端子だけで良いので、両側可動の場合より、接点位置が固定端子で決まるので安定する。
【００６３】
本発明の第４参考例に係るインタロック付きランプソケットを図１８および図１９を参照して説明する。
【００６４】
第４参考例に係るインタロック釦２５は、インタロック端子制御部の位置と形状を変更した以外は図９に示すインタロック釦３０と同じである。
【００６５】
インタロック端子４５の接点部５１，５１をオン・オフするインタロック端子制御部２６の作用部２７をインタロックばね受け部３３側とするとともに、作用部２７の形状を略Ｖ字状凹部２７ａに形成したものである。
【００６６】
さらに、このインタロック釦２５をインタロック付きランプソケットに組込んだ状態では、インタロック端子４５の先端は、インタロック釦の略Ｖ字状凹部２７ａの内側に入り込まない位置に配置された状態では、インタロック端子の接点部５１，５１は、互いに離間した状態になっている。
【００６７】
インタロック釦２５をランプ装着方向に摺動させると、インタロック端子の先端部が略Ｖ字状凹部２７ａの内側に入り込み、インタロック端子の接点部５１，５１は互いに接触し、「オン」状態になる位置に略Ｖ字状凹部がインタロック釦に形成されている。
【００６８】
第４参考例に係るインタロック釦のインタロック端子制御部は、インタロック端子の先端を外側から規制し、内側に撓ませることによりインタロック端子の接点部を「オン」状態にするものである。
【００６９】
本発明の第５参考例に係るインタロック付きランプソケットを図２０を参照して説明する。
【００７０】
第５参考例に係るインタロック付きランプソケットは、インタロック端子の製造方法に係るもので、このインタロック端子４５は、ＳＬ端子５５とインタロック端子部４６とを一体に形成したものである。
【００７１】
インタロック端子部４６は、ＳＬ端子５５の電線受面部５６から略反転曲げしたものであることから、これらＳＬ端子５５およびインタロック端子部４６を展開すると、図２０（Ｃ）のように略矩形状になることから、材料ロスの少ないインタロック端子とすることが可能である。
【００７２】
次に、上記実施の形態に係るインタロック付きランプソケットの作用を説明する。
【００７３】
作動体１５の先端にランプ（図示せず）を装着すると、当該ランプの口金が作動体の先端から突出しているインタロック釦の口金押え部３２を押圧することにより、インタロック釦は、ランプ装着方向に移動することにより、図１に示すようにインタロック釦は、インタロック釦の後端に装着されているコイルばねに抗して矢印方向に移動することにより、インタロック釦のインタロック端子制御部の側壁に押圧していたインタロック端子の先端に形成される接点部同士が接触することにより「オン」状態になる
【００７４】
ランプを取外すと、インタロック釦は、コイルばねの力により矢印と反対側に移動することにより、インタロック端子の先端に形成される接点部は、インタロック釦のインタロック端子制御部により、接点部同士が離間することにより「オフ」状態になる。
【００７５】
このように、ボディのＳＬ端子収納部にインタロック端子を組込むことにより、インタロック端子の長手可動部４８は、ランプ装着方向に対してほぼ直角方向に可動することから、インタロック端子は、微小ストロークで機能することが可能になる。
【００７６】
換言すると、インタロック端子の可動方向をランプ挿入方向にもソケット取付面にも直角方向になるようにしたことにより、インタロック釦が一定のストロークを超えると、インタロック端子が閉じる方向に変形し、確実に「オン」することができる。
【００７７】
さらに、「オン」ストロークが正確になるので、ランプ接触部（図示せず）は、作動体に装着された一対のコンタクトに接触したのち、インタロック端子の接点部が「オン」になるように設計することも容易である。
【００７８】
第２参考例の構成において、インタロック釦の作用点からインタロック端子の接点部を離した構造にしたので、ランプ挿入方向にインタロック釦が移動し、インタロック端子の接点部が接触した際に発生するスパークをインタロック釦のインタロック端子制御部が浴びなくて済み、インタロック釦のストロークが不確実になることはない。
【００７９】
一実施の形態の構成において、インタロック端子又は第２のインタロック端子のＲ部の先端が、作動体の底面側に形成されている平坦部上を摺動することで、インタロック端子又は第２のインタロック端子の長手可動部が滑らかに動作する。また、このＲ部は、インタロック端子をボディへ組込む際のガイドになることから、組立性が向上する。
【００８０】
第３参考例の構成において、インタロック端子は、一方を固定端子とし他方を可動端子としたので、インタロック釦による制御が片端子だけで良く、両側可動の場合より、接点位置が固定端子で決まるので安定する。換言すれば、固定端子は、簡単な形状で良く、制御部も一点で行うことができ、安定する。
【００８１】
第４参考例の構成において、インタロック釦の作用部を略Ｖ字状凹部とし、この略Ｖ字状凹部でインタロック端子の先端を外側から規制し、内側に撓ませることにより、インタロック端子の接点部を「オン」状態にするもので、ランプ挿入時、インタロック釦が一定の変位をすると、定位置で確実に「オン」することができる
【００８２】
第５参考例の構成において、インタロック端子は、ＳＬ端子とインタロック端子部とを一体に形成したもので、インタロック端子部は、ＳＬ端子の電線受面から略反転曲げしたものであることから、材料ロスの少ないインタロック端子とすることが可能となる。
【００８３】
【発明の効果】
以上詳記したように請求項１記載の発明によれば、インタロック端子の可動方向をランプ挿入方向に対して直角方向にしたことにより、ランプ挿入時、インタロック釦が一定変位をすると、定位置で確実に「オン」することができる。
【００８５】
更に、請求項１記載の発明によれば、インタロック端子の長手可動部の先端部に、作動体の平坦部に接してインタロック端子をボディに組込む際のガイドとなる部位を設けたので、組立性が向上する。
【図面の簡単な説明】
【図１】  本発明の第１参考例に係るインタロック付きランプソケットのカバーを外した状態でインタロック釦が押されていない初期の状態を示す斜視図。
【図２】  同第１参考例に係るインタロック付きランプソケットの作動体を示すもので、（Ａ）は斜視図。 （Ｂ）は平面図。
【図３】  同第１参考例に係るインタロック付きランプソケットの作動体とコンタクトとコイルばねとを示すもので、（Ａ）は作動体を示す斜視図。（Ｂ）はコンタクトを示す斜視図。（Ｃ）はコイルばねを示す斜視図。
【図４】  同第１参考例に係るインタロック付きランプソケットのコイルばねを示すもので、（Ａ）は斜視図。 （Ｂ）は平面図。
【図５】  同第１参考例に係るインタロック付きランプソケットのボディを示す斜視図。
【図６】  同第１参考例に係るインタロック付きランプソケットのカバーを示す斜視図。
【図７】  同第１参考例に係るインタロック付きランプソケットのボディを示す平面図。
【図８】  同第１参考例に係るインタロック付きランプソケットのカバーを示す平面図。
【図９】  同第１参考例に係るインタロック付きランプソケットのインタロック釦を示すもので、（Ａ）は斜視図。 （Ｂ）は平面図。
【図１０】  同第１参考例に係るインタロック付きランプソケットのインタロック端子を示すもので、（Ａ）は斜視図。 （Ｂ）は平面図。
【図１１】  本発明の第２参考例に係るインタロック付きランプソケットのインタロック端子とインタロック釦を示す斜視図。
【図１２】  同第２参考例に係るインタロック付きランプソケットのインタロック端子の配置関係を示す斜視図。
【図１３】  同第２参考例に係るインタロック付きランプソケットのインタロック釦を示すもので、（Ａ）は斜視図。 （Ｂ）は平面図。
【図１４】  本発明の一実施の形態に係るインタロック付きランプソケットの作動体の平坦部とインタロック端子のＲ部との関係を示す斜視図。
【図１５】  同一実施の形態に係るインタロック付きランプソケットのインタロック端子を示すもので、（Ａ）は斜視図。 （Ｂ）は平面図。
【図１６】  同一実施の形態に係るインタロック付きランプソケットの他のインタロック端子などを示す斜視図。
【図１７】  本発明の第３参考例に係るインタロック付きランプソケットのカバーを外し、インタロック端子の一方を固定端子とし他方を可動端子とした状態を示す斜視図。
【図１８】  本発明の第４参考例に係るインタロック付きランプソケットのカバーを外し、インタロック釦に設けられた略Ｖ字状凹部を有するインタロック端子制御部を示す斜視図。
【図１９】  同第４参考例に係るインタロック釦に設けられた略Ｖ字状凹部の部分を示す斜視図。
【図２０】  本発明の第５参考例に係るインタロック付きランプソケットのインタロック端子とその製造方法を示すもので、（Ａ）は斜視図。 （Ｂ）は平面図。 （Ｃ）は展開図。
【符号の説明】
１…ボディ，１５…作動体，２１…平坦部，２６…インタロック端子制御部，２７…作用部，２７ａ…略Ｖ字状凹部，３０…インタロック釦，３４…インタロック端子制御部，３８…Ｒ部，４３ａ…固定端子（固定端子用インタロック端子），４３ｂ…可動端子（可動端子用インタロック端子），４５…インタロック端子，４５ａ…固定端子（固定端子用インタロック端子），４５ｂ…可動端子（可動端子用インタロック端子），４６…インタロック端子部，４８…長手可動部，５０…先端部，５１…接点部，５３…長手可動部，５５…ＳＬ端子，５６…電線受面，５９…接点離間部，６０…カバー，７５…コンタクト，８０…コイルばね，９０…インタロックばね（コイルばね）。
【図１】
0003733766.tif 000002
【図２】
0003733766.tif 000003
【図３】
0003733766.tif 000004
【図４】
0003733766.tif 000005
【図５】
0003733766.tif 000006
【図６】
0003733766.tif 000007
【図７】
0003733766.tif 000008
【図８】
0003733766.tif 000009
【図９】
0003733766.tif 000010
【図１０】
0003733766.tif 000011
【図１１】
0003733766.tif 000012
【図１２】
0003733766.tif 000013
【図１３】
0003733766.tif 000014
【図１４】
0003733766.tif 000015
【図１５】
0003733766.tif 000016
【図１６】
0003733766.tif 000017
【図１７】
0003733766.tif 000018
【図１８】
0003733766.tif 000019
【図１９】
0003733766.tif 000020
【図２０】
0003733766.tif 000021